(57)【要約】【課題】酸性水に含まれる殺菌成分量を増加させた電解水生成装置を提供する。【解決手段】この課題を解決するために、外部から原水が供給される供給路４と、前記供給路４から水が導入され前記水を電気分解してアルカリイオン水と酸性イオン水とを生成する電解槽１２と、前記アルカリイオン水を吐出する吐水路１７と、前記酸性イオン水を排出する排水路１８と、前記電気分解を制御する制御部２０と、殺菌成分生成補助剤を前記水に添加する剤添加部２３とを備え、前記制御部２０が、前記原水供給の停止後、当該停止状態が設定された所定時間経過すると、前記供給の再開時に、前記殺菌成分生成補助剤を添加した混合水を前記電解槽１２で前記電気分解を行い殺菌成分を含んだ酸性水を生成して、当該酸性水を前記吐水路１７に通水する洗浄動作用の制御を行う。【選択図】図１
2012223685.tif 000002
【特許請求の範囲】
【請求項１】
外部から原水が供給される供給路と、前記供給路から水が導入され前記水を電気分解してアルカリイオン水と酸性イオン水とを生成する電解槽と、前記アルカリイオン水を吐出する吐水路と、前記酸性イオン水を排出する排水路と、前記電気分解を制御する制御部と、殺菌成分生成補助剤を前記水に添加する剤添加部とを備え、
前記制御部が、前記原水供給の停止後、当該停止状態が設定された所定時間経過すると、前記供給の再開時に、前記殺菌成分生成補助剤を添加した混合水を前記電解槽で前記電気分解を行い殺菌成分を含んだ酸性水を生成して、当該酸性水を前記吐水路に通水する洗浄動作用の制御を行うことを特徴とする電解水生成装置。
【請求項２】
前記制御部が、前記洗浄動作用の制御時に、前記吐水路の通水量と前記排水路の通水量との水量比率を変更する比率変更制御を行うことを特徴とする請求項１に記載の電解水生成装置。
【請求項３】
前記剤添加部が、前記殺菌成分生成補助剤を貯留する剤貯留部と、前記電解槽から供給される供給水に前記剤貯留部から供給される前記殺菌成分生成補助剤を混合する混合部と、前記供給水を前記電解槽から前記混合部へ流通させる給水路とを備え、
前記給水路は前記電解槽側の開口端が前記混合部側の開口端より上方に位置することを特徴とする請求項１又は２に記載の電解水生成装置。
【請求項４】
前記混合部にオーバーフロー用の混合水排出路を設け、
前記混合水排出路の前記混合部との接続口が、前記給水路の前記混合部側の前記開口端より下方に位置し、
前記接続口の開口面積が前記混合部側の前記開口端の開口面積より大であることを特徴とする請求項３に記載の電解水生成装置。
【請求項５】
前記供給水と前記殺菌成分生成補助剤とを攪拌混合する攪拌部を前記混合部に設けたことを特徴とする請求項３又は４に記載の電解水生成装置。
【請求項６】
前記混合水を貯留する貯水部を前記混合部の下方に設けたことを特徴とする請求項３乃至５のいずれか１項に記載の電解水生成装置。
【請求項７】
前記制御部が、前記酸性水を用いた洗浄動作後、前記電解槽から前記貯水部に前記アルカリイオン水を流入させる貯水部濯ぎ制御を行うことを特徴とする請求項６に記載の電解水生成装置。
【請求項８】
前記洗浄動作の実施を外部に予告する予告部を備え、
前記制御部は、前記再開時に前記洗浄動作を実施するにあたって、当該洗浄動作の実施を前記予告部に予告させる予告制御を行うことを特徴とする請求項１乃至７のいずれか１項に記載の電解水生成装置。
【請求項９】
前記洗浄動作の終了時間を外部に報知する報知部を備え、
前記制御部は、前記再開時に前記洗浄動作を実施するにあたって、前記時間を前記報知部に報知させる報知制御を行うことを特徴とする請求項１乃至８のいずれか１項に記載の電解水生成装置。
【請求項１０】
請求項１乃至９のいずれか１項に記載の電解水生成装置を備えたことを特徴とする流し台。
【発明の詳細な説明】
【技術分野】
【０００１】
本発明は、電解水生成装置及び当該電解水生成装置を備えた流し台、殊に電解水生成装置内の殺菌洗浄に関するものである。
【背景技術】
【０００２】
従来から、電解水生成装置は、原水をろ過する浄水部と、浄水部でろ過した水（浄水）を電気分解する電解槽と、浄水或いは電解槽で電気分解した水（イオン水）を吐出する吐水路と、電気分解を制御する制御部とを備える。
【０００３】
ところで、止水後一定期間以上利用されないと、吐水路側から細菌等が浸入する等で、ろ過により殺菌成分（塩素）の低下した浄水が細菌等に汚染されて、取水再開時に当該汚染された水が吐水路から吐出される恐れがある。
【０００４】
そのため、特許文献１等に示す電解水生成装置のように、原水が再供給された再開時に、次亜塩素酸を含む酸性水（次亜塩素酸水）を電解槽で生成し、当該酸性水を吐水路に通水することで、吐水路を殺菌洗浄するものがある。そして、当該装置では、止水時から通水開始時までの止水経過時間が所定時間内である場合に該止水経過時間と比例した殺菌洗浄時間を設定し、該所定時間を越える場合に一定の殺菌洗浄時間を設定することで、洗浄時の水や時間の過剰な消費を抑えている。
【先行技術文献】
【特許文献】
【０００５】
【特許文献１】特開２００７−９０１８３号公報
【発明の概要】
【発明が解決しようとする課題】
【０００６】
しかしながら、上述のような電解水生成措置では、浄水中の残留塩素から次亜塩素酸（殺菌成分）を生成するため、電解槽の容量が小さい装置や電圧出力が低い装置等では、殺菌成分が生成され難く、酸性水での殺菌や除菌が不十分になることがある。
【０００７】
そこで、この事情を鑑み、殺菌成分を生成し易くして、酸性水に含まれる殺菌成分の量を増加させた電解水生成装置及び当該電解水生成装置を備えた流し台を提供することを課題とした。
【課題を解決するための手段】
【０００８】
上記課題を解決するために、本発明の電解水生成装置は、外部から原水が供給される供給路と、前記供給路から水が導入され前記水を電気分解してアルカリイオン水と酸性イオン水とを生成する電解槽と、前記アルカリイオン水を吐出する吐水路と、前記酸性イオン水を排出する排水路と、前記電気分解を制御する制御部と、殺菌成分生成補助剤を前記水に添加する剤添加部とを備え、前記制御部が、前記原水供給の停止後、当該停止状態が設定された所定時間経過すると、前記供給の再開時に、前記殺菌成分生成補助剤を添加した混合水を前記電解槽で前記電気分解を行い殺菌成分を含んだ酸性水を生成して、当該酸性水を前記吐水路に通水する洗浄動作用の制御を行うことを特徴とする。
【０００９】
この電解水生成装置として、前記制御部が、前記洗浄動作用の制御時に、前記吐水路の通水量と前記排水路の通水量との水量比率を変更する比率変更制御を行うことが好ましい。
【００１０】
この電解水生成装置として、前記剤添加部が、前記殺菌成分生成補助剤を貯留する剤貯留部と、前記電解槽から供給される供給水に前記剤貯留部から供給される前記殺菌成分生成補助剤を混合する混合部と、前記供給水を前記電解槽から前記混合部へ流通させる給水路とを備え、前記給水路は前記電解槽側の開口端が前記混合部側の開口端より上方に位置することが好ましい。
【００１１】
この電解水生成装置として、前記混合部にオーバーフロー用の混合水排出路を設け、前記混合水排出路の前記混合部との接続口が、前記給水路の前記混合部側の前記開口端より下方に位置し、前記接続口の開口面積が前記混合部側の前記開口端の開口面積より大であることが好ましい。
【００１２】
この電解水生成装置として、前記供給水と前記殺菌成分生成補助剤とを攪拌混合する攪拌部を前記混合部に設けたことが好ましい。
【００１３】
この電解水生成装置として、前記混合水を貯留する貯水部を前記混合部の下方に設けたことが好ましい。
【００１４】
この電解水生成装置として、前記制御部が、前記酸性水を用いた洗浄動作後、前記電解槽から前記貯水部に前記アルカリイオン水を流入させる貯水部濯ぎ制御を行うことが好ましい。
【００１５】
この電解水生成装置として、前記洗浄動作の実施を外部に予告する予告部を備え、前記制御部は、前記再開時に前記洗浄動作を実施するにあたって、当該洗浄動作の実施を前記予告部に予告させる予告制御を行うことが好ましい。
【００１６】
この電解水生成装置として、前記洗浄動作の終了時間を外部に報知する報知部を備え、前記制御部は、前記再開時に前記洗浄動作を実施するにあたって、前記時間を前記報知部に報知させる報知制御を行うことが好ましい。
【００１７】
本発明の流し台は、上述のいずれかの電解水生成装置を備えることを特徴とする。
【発明の効果】
【００１８】
このような構成としたことで、酸性水生成時に、殺菌成分を生成し易くし、酸性水に含まれる殺菌成分の量を増加させ易くすることができる。
【図面の簡単な説明】
【００１９】
【図１】第１実施形態の電解水生成装置の構成説明図である。
【図２】同上の電解水生成装置の混合部周辺の構成説明図である。
【図３】同上の電解水生成装置の攪拌部及び調整部の連通路連通状態の（ａ）斜視図と（ｂ）断面図である。
【図４】同上の電解水生成装置の攪拌部及び調整部の連通路閉塞状態の（ａ）斜視図と（ｂ）正面図である。
【図５】同上の電解水生成装置の調整部の第１円板部の（ａ）平面図と（ｂ）側面図である。
【図６】同上の電解水生成装置の調整部の第２円板部の（ａ）平面図、（ｂ）側面図である。
【図７】表示部に液晶を用いた例であり、（ａ）が止水経過時間報知の図であり、（ｂ）が洗浄予告表示の図であり、（ｃ）が残り時間報知の図である。
【図８】表示部に発光部を用いた例であり、（ａ）が止水経過時間報知の図であり、（ｂ）が洗浄予告表示の図であり、（ｃ）が残り時間報知の図である。
【図９】第１実施形態の電解水生成装置を備えた流し台の構成説明図である。
【発明を実施するための形態】
【００２０】
以下、図面に基づいて本発明の実施形態を例示して説明する。
【００２１】
（第１実施形態）
第１実施形態の電解水生成装置１は内部に、図１に示すように、外部から供給された原水をろ過する浄水部５と、浄水部５でろ過した水を電気分解する電解槽１２と、電解槽１２の電気分解を制御する制御部２０とを備える。そして、電解水生成装置１は、外部の原水管２と浄水部５とに接続される供給路４と、浄水部５と電解槽１２とを接続する浄水導入路６と、電気分解により生成したイオン水の一方を外部に流出する吐水路１７と、イオン水の他方を外部に流出する排水路１８とを備える。供給路４は水栓３を介して原水管２に接続されており、水栓３の開放と閉塞の切替動作は使用者の外部操作によって行われる。なお、水栓３に切替弁を設ける等で、水栓３の当該切替動作を制御部２０で制御してもよい。
【００２２】
浄水部５は、供給路４から原水が導入され、当該原水をろ過した後、ろ過した水（浄水）を浄水導入路６に流出する。そして、浄水部５はろ過部材として、例えば、原水から残留塩素等を吸着する活性炭と、原水から不純物や細菌等を取り除く中空糸膜モジュールとを有し、ろ過部材に原水を流通させることで、原水をろ過する。
【００２３】
浄水導入路６は、通水の有無及び通水流量を検知し検知結果を制御部２０に出力する通水センサ９と、通水センサ９の下流に設けられ浄水の電気伝導性（導電率）を高める電解補助剤を浄水に供給する剤供給部１０と、を有する。
【００２４】
そして、浄水導入路６は電解槽１２との接続部位が第１導入路７と第２導入路８とに分岐しており、第１導入路７と第２導入路８は各々電解槽１２に接続される。また、第１導入路７には、第１導入路７の開放と閉塞とを切り替える切替弁（導入弁１１）と、導入弁１１の開放量を変更するステッピングモータ（図示せず）とが設けられており、導入弁１１の切替動作はステッピングモータを介して制御部２０に制御される。そのため、制御部２０は導入弁１１を介して第１導入路７の通水量を変更することで、第１導入路７の通水量と第２導入路の通水量との水量比率を変化させる比率変更制御を行うことができる。
【００２５】
電解槽１２は、電解槽１２内を二つの電解室（第１電解室１３、第２電解室１４）に区画する隔膜１６と、電解槽１２内に配置され対をなす電極板１５（第１電極板１５ａ、第２電極板１５ｂ）とを備え、隔膜はイオン等が透過可能で水が透過不能となっている。
【００２６】
第１導入路７は第１電解室１３の底部側（上流側）に接続され、第１電解室１３は天井部側（下流側）に吐水路１７が接続される。第２導入路８は第２電解室１４の底部側（上流側）に接続され、第２電解室１４は天井部側（下流側）に排水路１８が接続される。
【００２７】
また、電解槽１２は、第１電解室１３に第１電極板１５ａが配置され、第２電解室１４に第２電極板１５ｂが配置されており、各電解室内に浄水を導入した状態で電極板１５に電圧を印加することで、電解槽１２内の浄水が電気分解される。
【００２８】
当該電気分解は、例えば、相対的に第１電極板１５ａが陰極、第２電極板１５ｂが陽極となるよう電極板１５に電圧を印加することで、第１電解室１３にアルカリイオン水が生成され、第２電解室１４に酸性イオン水が生成される。そして、第１電極板１５ａと第２電極板１５ｂの極性を入れ替えることで、第１電解室１３に酸性イオン水が生成され、第２電解室１４にアルカリイオン水が生成される。
【００２９】
上述のように、電気分解（電解処理）で生成されるイオン水は、第１電解室１３でアルカリイオン水と酸性イオン水とのいずれか一方が生成され、第２電解室１４でアルカリイオン水と酸性イオン水との他方が生成される。そして、第１電解室１３で生成されたイオン水が吐水路１７から外部に吐出され、第２電解室１４で生成されたイオン水が排水路１８から外部に排出される。更に、制御部２０が比率変更制御を行うことで、吐水路１７の吐水量と排水路１８の排水量との水量比率が変更される。
【００３０】
なお、電極板１５に印加される電圧は制御部２０に制御されると共に、制御部２０を介して電源部２１から供給される。電源部２１は商用電源等の外部電源（図示せず）と電気的に接続する接続端２１ａを有し、接続端２１ａを介して外部電源から給電されており、例えば、外部電源からの交流電圧（電力）を直流電圧に変換した後、制御部２０に供給する。
【００３１】
また、電解水生成装置１は、取水用（通常利用用）のイオン水や浄水を吐水路１７から吐出する通常動作と、殺菌成分を有する洗浄水を生成し当該洗浄水を吐水路１７に通水する洗浄動作と、原水供給の停止時に休止状態となる待機動作とを有する。通常動作は、浄水を電気分解せずに吐水路１７から吐出する浄水モードと、アルカリイオン水を生成し吐水路１７から吐出するアルカリイオン水モードと、酸性イオン水を生成し吐水路１７から吐出する酸性イオン水モードとを有する。なお、通常動作の各モードや洗浄動作や待機動作の詳細は、制御部２０の説明と合わせて後述する。
【００３２】
また、洗浄動作で生成される洗浄水は、次亜塩素酸や次亜塩素酸イオン等の殺菌成分を有した次亜塩素酸水となっており、酸性水となっている。そのため、洗浄動作モードでは、第１電極板１５ａを陽極、第２電極板１５ｂを陰極となるよう電圧を印加して電解槽１２内の水を電気分解することで、第１電解室１３に洗浄水を生成し、生成した洗浄水を吐水路１７に通水して吐水路１７を殺菌洗浄する。
【００３３】
なお、次亜塩素酸水の生成時の反応は、例えば、以下の通りとなっている。
・陽極側  ２Ｈ２Ｏ  →  ４Ｈ＋＋Ｏ２＋４ｅ− 
２Ｃｌ−  →  Ｃｌ２＋２ｅ− 
・陰極側  ６Ｈ２Ｏ＋６ｅ−  →  ６ＯＨ−＋３Ｈ２ 
Ｃｌ２＋Ｈ２Ｏ  →  ＨＣｌＯ＋ＨＣｌ  
そして、陽極側に生じたＣｌ２は更に、
ＨＣｌＯ  →  ＣｌＯ−＋Ｈ＋ 
なる解離反応によって、上述のようにＨＣｌＯ（次亜塩素酸）、ＨＣｌ（塩酸）、ＣｌＯ−（次亜塩素酸イオン）、Ｈ＋（水素イオン）を主成分とする次亜塩素酸水（酸性水）が生成される。
【００３４】
そして、電解水生成装置１は、洗浄動作時に洗浄水生成用の水に殺菌成分生成補助剤を添加する剤添加部２３を備え、浄水の電気分解時に殺菌成分を生成し易くしている。当該殺菌成分生成補助剤は、例えば、塩化ナトリウム等の次亜塩素酸生成用添加剤（酸性成分生成用添加剤）となっている。なお、殺菌成分生成補助剤は酸性成分生成用添加剤に限らず、酸性成分生成用生成添加剤は塩化ナトリウムに限らない。以下、殺菌成分生成補助剤を添加剤と記載する。
【００３５】
剤添加部２３は、図１乃至図２に示すように、添加剤を貯留する剤貯留部２８と、剤貯留部２８からの添加剤と水とを混合する混合部３２と、混合部３２に電解槽１２の水を供給する給水路２４とで主体が構成される。
【００３６】
給水路２４は、図１に示すように、第１電解室１３の下流側に一方の開口端（第１開口端２５）が接続され、他方の開口端（第２開口端２６）が剤添加部２３の混合部３２（詳細は後述する）に接続され、第１電解室１３の水を混合部３２に供給する。そして、給水路２４は第１開口端２５である電解槽１２側の開口端が、第２開口端２６である混合部３２側の開口端より、上方に位置している。そのため、電解槽１２から第１開口端２５に導入された水（供給水）は、重力により第２開口端２６に向かって給水路２４を流動し易くなる。
【００３７】
また、給水路２４には給水路２４の開閉を切り替える切替弁（給水弁２７）が設けられ、給水弁２７の切替動作は制御部２０に制御される。そして、給水弁２７は通常動作時や待機動作時には閉成されており、当該動作時に給水路２４を閉塞する。なお、給水路２４は第１開口端２５を吐水路１７に設け、吐水路１７から分岐して混合部３２に供給水を供給してもよい。
【００３８】
剤貯留部２８は、上方に開口した有底円筒状で、当該開口は内部に洗浄剤を投入する投入口となっており、投入口は着脱自在の蓋２９で覆われる。また、剤貯留部２８は混合部３２の上方に配置される。そして、剤貯留部２８の底部３０は、図２に示すように、上方に凸の円錐形状で、円錐の底（下端）の外周には、混合部３２に添加剤を供給する供給口３１を複数有する。そのため、剤貯留部２８は供給口３１から添加剤を落下させることで、混合部３２に供給しており、底部３０の傾斜（円錐の周面）によって添加剤を供給口３１に導入し易くしている。
【００３９】
混合部３２は、図１に示すように、剤貯留部２８と略同径で上方に開口した有底円筒状で、剤貯留部２８と略同心で配置され、混合部３２の周面にはオーバーフロー用の混合水排出路３４が連通接続される。混合水排出路３４は混合部３２との接続口３５（上流端）が給水路２４の第２開口端２６より下方に位置し、下流端が混合部３２より下方に位置して排水路１８に連通接続されている。そして、混合水排出路３４は接続口３５の開口面積が給水路２４の第２開口端２６の開口面積より大となっている。そのため、混合部３２は水位が接続口３５の直下に達した際に満水となり、混合部３２は満水時等に混合部３２から溢れた水が混合水排出路３４を介して排水路１８に排出される。
【００４０】
また、混合部３２には、図２に示すように、混合部３２内の供給水と添加剤とを攪拌混合する攪拌部４１と、剤貯留部２８から混合部３２への添加剤の供給を調節する調節部４４と、攪拌部４１及び調節部４４を駆動する駆動部３８とが設けられる。
【００４１】
駆動部３８は、モータ等の駆動源３９と、駆動源３９の駆動を攪拌部４１や調節部４４に伝達する歯車やベルト等の駆動伝達部４０とを備える。そして、駆動部３８は攪拌部４１及び調節部４４に伝達する回転駆動の向き（回転方向）が、回転円（周方向）に沿って一方を向く第１方向と、回転円（周方向）に沿って第１方向と反対（他方）を向く第２方向とに切り替わる。なお、当該駆動部３８の回転駆動及び向き（第１方向と第２方向とのいずれに向けて回転するか等）は制御部２０に制御される。
【００４２】
攪拌部４１は、混合部３２内に略同心で配置される円柱状の軸部４２と、軸部４２の周面に一体で形成された螺旋状の羽根４３とで主体が構成される。そして、攪拌部４１は駆動部３８によって軸部４２の軸回りに回転し、当該回転によって羽根４３で混合部３２内の水（供給水）を攪拌する。そのため、混合部３２内の供給水は、供給口３１から供給された添加剤と混合されて、添加剤を添加した混合水となる。また、攪拌部４１は供給口３１から落下した添加剤が羽根４３に接触するため、例えば、羽根４３に接触しないものに比べて底部３３に至るまでの添加剤の移動時間が長くなる等で、添加剤を供給水に混合し易くなっている。
【００４３】
調節部４４は、図４乃至図６に示すように、略同心同径の二つの円板部（第１円板部４５、第２円板部４７）で主体が構成される。そして、両円板部は中心に軸部４２が略同心で挿通されると共に、外周に供給口３１と連通する連通口４９（４９ａ，４９ｂ）を有する。
【００４４】
第１円板部４５は板面の略中心に軸部４２が貫通すると共に当該軸部４２が固定されており、駆動部３８の駆動時に、第１円板部４５は攪拌部４１と共に円板の周方向に回転する。そして、第１円板部４５は、図５に示すように、外周に連通口４９ａを二つ有する。更に、第１円板部４５は下面（下方を向く板面）に円柱状の突起４６を二つ有し、突起４６は周方向において略等間隔で下面に設けられ、突起４６は第２円板部４７に周方向に摺動自在で挿通される。
【００４５】
第２円板部４７は、図６に示すように、外周に連通口４９ｂを二つ有する。そして、第２円板部４７は板面と略同心で板面より小径の円弧状の長孔４８が二つ設けられており、長孔４８は板面を貫通して形成されると共に、周方向において略等間隔に位置する。更に、図３乃至図４に示すように、両長孔４８には各々突起４６が一つ挿通されており、第１円板部４５の回転時に、突起４６が長孔４８の円弧に沿って長孔４８内を移動（摺動）する。
【００４６】
また、第２円板部４７は板面の略中心に軸部４２が貫通すると共に当該軸部４２の軸回りに回転自在となっており、第１円板部４５の回転時に突起４６が長孔４８の周方向の端部に当接することで、第２円板部４７は第１円板部４５と共に回転可能となる。
【００４７】
そのため、第２円板部４７は、図３に示すように、突起４６が長孔４８の一方の端部（第１端）に当接した状態で、連通口４９ｂが第１円板部４５の連通口４９ａと連通する。そして、当該連通口４９を連通した状態で軸部４２が回転すると、調節部４４（第１円板部４５、第２円板部４７）は連通状態を維持して回転する。また、第２円板部４７は、上記連通状態から軸部４２の回転方向が第２方向に切り替わると、突起４６が長孔４８の第１端から離れ、長孔４６の円弧に沿って他方の端部（第２端）側に摺動し、図４に示すように、突起４６が第２端に当接する。
【００４８】
そして、当該第２端に当接した状態では、連通口４９ｂが第１円板部４５の板面に閉塞されると共に、板面で第１円板部４５の連通口４９ａを閉塞する。更に、当該連通口４９を閉塞した状態で軸部４２が第２方向に回転すると、調節部４４は閉塞状態を維持して回転する。また、閉塞状態で軸部４２の回転方向が第１方向に切り替わると、突起４６が第２端から離れ、第１端に向けて摺動して、第１端に当接し、調節部４４は連通状態に切り替わる。
【００４９】
上述のように電解水生成装置１は、例えば、駆動部３８が第１方向に回転駆動すると、調節部４４は連通口４９を連通した状態で回転して、剤貯留部２８から混合部３２へ添加剤を供給すると共に、攪拌部４１は混合部３２内の水と添加剤とを攪拌する。そして、駆動部３８の回転駆動が第１方向から第２方向に切り替わると、攪拌部４１は混合部３２内の攪拌を継続し、調節部４４は連通口４９を閉塞した状態に切り替わり、添加剤の供給を停止すると共に当該閉塞状態を維持して回転する。
【００５０】
また、図１に示すように、混合部３２の下方には、混合水を貯留する貯水部５０と、混合水を貯水部５０に導入する混合水導入路３６とが配置される。そして、混合部３２の底部３３には混合水排出路３４の一端が接続されており、混合水導入路３６の他端は貯水部５０に接続されている。
【００５１】
そのため、混合部３２と貯水部５０とは混合水導入路３６を介して連通接続されており、混合水は重力によって混合部３２から下方（貯水部５０側）に流動し易くなっている。また、混合水導入路３６には混合水導入路３６の開閉を切り替える切替弁（貯水弁３７）が設けられ、貯水弁３７の切替動作は制御部２０に制御される。そして、貯水弁３７は通常動作時や待機動作時等に閉成されており、当該動作時に混合水導入路３６を閉塞する。
【００５２】
貯水部５０は通常動作時や止水時に、混合水を貯留しており、洗浄動作時において、洗浄水で洗浄する際に、貯留した混合水を電解槽１２に流入させ、混合水を用いた洗浄水の生成を可能にする。そして、貯水部５０は浄水導入路６の下方に位置し、浄水導入路６から給水される第１通水路５１と、浄水導入路６の下流の分岐部位の近傍で浄水導入路６に貯水部５０内の水（混合水）を供給する第２通水路５３とが設けられる。そのため、第２通水路５３及び第１導入路７が、電解槽１２と貯水部５０とを連通接続する連通路となっている。
【００５３】
また、第１通水路５１には第１通水路５１の開閉を切り替える切替弁（第１通水弁５２）が設けられ、第２通水路５３には第２通水路５３の開閉を切り替える切替弁（第２通水弁５４）が設けられ、第１通水弁５２及び第２通水弁５４の切替動作は制御部２０に制御される。そして、第１通水弁５２及び第２通水弁５４は通常動作時や待機動作時等に閉成されており、当該動作時に第１通水路５１及び第２通水路５３を閉塞する。
【００５４】
また、貯水部５０は下部に、貯水部５０内の水を排水路１８に排出する貯水部排出路５５が連通接続されており、貯水部排出路５５は混合水排出路３４を介して排水路１８に接続されている。貯水部排出路５５には貯水部排出路５５の開閉を切り替える切替弁（排水弁５６）が設けられ、排水弁５６の切替動作は制御部２０に制御される。そして、排水弁５６は通常動作時や待機動作時に閉成されており、当該動作時に貯水部排出路５５を閉塞する。
【００５５】
制御部２０は信号線６５を介して各切替弁、駆動部３８、操作部５７及び表示部５８（詳細は後述する）等と電気的に接続されており、切替弁等の上記部材を信号線６５を介して制御すると共に給電する。そして、制御部２０は給電線６４を介して電極板１５と電気的に接続されており、給電線６４を介して電極板１５に電圧を印加する。
【００５６】
また、制御部２０は信号線６３を介して通水センサ９と電気的に接続されており、通水センサ９の検知結果（浄水導入路６の流量）が信号線６３を介して制御部２０に入力される。そして、制御部２０は浄水導入路６の流量が一定値を超えると、原水が供給されている給水状態と判断する。制御部２０は給水状態と判断すると、所定の洗浄動作（詳細は後述する）を行った後、通常動作を行うよう制御する。
【００５７】
通常動作は、電解槽１２に浄水を導入した後、アルカリイオン水モード或いは酸性イオン水モードであれば、電解槽１２で電気分解して、第１電解室１３内に所望のイオン水を生成し、当該イオン水を吐水路１７から吐水する。そして、浄水モードであれば、電解槽１２で電気分解せずに、浄水を吐水路１７から吐水する。
【００５８】
また、制御部２０は、給水状態で浄水導入路６の流量が一定値以下になると、原水の供給が停止されて、止水状態に切り替わったと判断し、アルカリイオン水モード或いは酸性イオン水モードであれば、電極板１５への電圧印加を停止する。そして、当該止水状態判断時に、制御部２０は、各切替弁を制御して第１導入路７と第１通水路５１と第２通水路５３と貯水部排出路５５とを開放させ、吐水路１７と電解槽１２と導入路と貯水部５０の水を排水路１８に排出する。なお、当該電圧印加の停止時に、電極板１５に印加する電圧の極性を一定時間入れ替えて印加して、電極板１５に析出付着したカルシウム等のスケールを剥離させた後、電解槽１２の排水を行うことが好ましい。
【００５９】
当該止水状態との判断後、制御部２０は、洗浄動作の準備動作（詳細は後述する）の制御を行った後、待機動作用の制御を開始し、電極板１５や駆動部３８等の電力消費を抑える。そして、待機動作は浄水導入路６の流量が一定値を越えるまで行われ、浄水導入路６の流量が一定値を越えると、制御部２０は止水状態から給水状態に切り替わったと判断し、洗浄動作の実動作（詳細は後述する）用の制御を開始する。なお、制御部２０で水栓を開閉させるものでは、制御部２０は水栓の開閉の切替で給水状態と止水状態とを判断してもよい。
【００６０】
また、制御部２０は、上述の止水状態との判断時に、次に給水状態に切り替わるまでの止水経過時間（止水状態での経過時間）を計測する。そして、制御部２０は、当該止水経過時間に応じて、給水状態に切り替わった際に実施する洗浄動作を以下の三つから判断する。
【００６１】
制御部２０は止水経過時間Ｔが、所定の第１時間Ｔ１未満の場合（Ｔ＜Ｔ１）と、第１時間Ｔ１以上で所定の第２時間Ｔ２未満の範囲の場合（Ｔ１≦Ｔ＜Ｔ２）と、第２時間Ｔ２以上の場合（Ｔ２≦Ｔ）とのいずれに該当するかで実施する洗浄動作を判断する。
【００６２】
Ｔ＜Ｔ１の場合は、吐水路１７等の細菌を酸性イオン水はもちろん、アルカリイオン水や浄水を通水しても容易に除去することができる細菌増殖初期状態となっており、洗浄動作は、洗浄水を生成する動作のない第１洗浄動作となっている。
【００６３】
Ｔ１≦Ｔ＜Ｔ２の場合は、アルカリイオン水や浄水等の通水で吐水路１７の洗浄が困難で、且つ時間経過に伴い細菌量が増加し易い範囲（細菌増殖が飽和状態になる前の範囲）となっている。そのため、洗浄動作は、酸性水を生成し、当該酸性水を吐水路１７に通水する第２洗浄動作となっている。
【００６４】
Ｔ２≦Ｔの場合は、アルカリイオン水や浄水等の通水で吐水路１７の洗浄が困難で、且つ時間経過に伴い細菌量が略変化しない範囲（細菌の増殖が略飽和状態となった範囲）となっている。そのため、洗浄動作は、酸性水を生成し、当該酸性水を吐水路１７に通水すると共に、当該酸性水の通水時間が第２洗浄動作より長い第３洗浄動作となっている。
【００６５】
そして、上記三つの洗浄動作は各々、原水供給開始直後に行う洗浄を実施する実動作と、原水供給停止（止水）直後に行う次回洗浄動作用の準備動作とで構成される。
【００６６】
第１洗浄動作の実動作は、原水供給開始直後、制御部２０が各切替弁を制御して、給水路２４と第１導入路７とを開放させて、混合部３２に給水すると共に、吐水路１７に通水して、吐水路１７等の細菌を濯ぎ洗浄する。そして、当該濯ぎ洗浄時に、制御部２０は第１通水路５１と貯水部排出路５５とを開放させて、貯水部５０に通水して、濯ぎ洗浄する。
【００６７】
更に、制御部２０は、混合部３２への給水と、吐水路１７及び貯水部５０の濯ぎ洗浄が完了すると、貯水部５０内の水を排出した後、通常動作用の制御を開始し、通常動作を行った後（止水後）、準備動作用の制御を開始する。
【００６８】
準備動作では、駆動部３８が駆動されて、調節部４４及び攪拌部４１が所定時間（剤供給時間）の第１方向に回転し、混合部３２に溜めた水に剤貯留部２８から添加剤が供給されると共に、当該水と添加剤とが攪拌混合される。そして、上記剤供給時間経過後、制御部２０は、回転方向を第２方向に切り替え、添加剤の供給を停止し、更に所定時間（攪拌時間）攪拌を継続する。なお、剤供給時間と攪拌時間の長さは、略同じ時間であってもよく、異なる時間であってもよく、混合部３２或いは貯水部５０の貯水量や電解槽１２の容量や添加剤の種類や洗浄水の酸性度等に応じて適宜設定されるものである。
【００６９】
また、駆動部３８の駆動中、制御部２０は第１導入路７と第１通水路５１と第２通水路５３と貯水部排出路５５とを開放し、吐水路１７と電解槽１２と浄水導入路６の排水を行う。そして、排水完了となる所定時間（排水時間）経過後、第１導入路７と第１通水路５１と第２通水路５３と貯水部排出路５５とを閉塞する。
【００７０】
更に、当該排水時間と攪拌時間の両時間経過後、制御部２０は混合水供給路４を開放して、混合部３２内の混合水を貯水部５０に供給した後、混合水供給路４を閉塞し、第１洗浄動作（準備動作）用の制御から待機動作用の制御に移行する。なお、攪拌時間と排水時間との長さは略同じ時間であってもよく、異なる時間であってもよく、上述の作用（排水や攪拌）を実施可能な時間であればよい。
【００７１】
また、当該準備動作時の電解槽１２の排水において、制御部２０は、直前の通常動作がアルカリイオン水生成モードであった場合、第１電解室１３のアルカリイオン水で貯水部５０を濯ぎ洗浄する貯水部５０濯ぎ洗浄用の制御を行う。
【００７２】
当該制御は、上記駆動部３８の駆動中、第２通水路５３の開放時に、第１導入路７を閉塞し、第２電解室１４の水を第１電解室１３の水より先に排出する。そして、第２電解室１４の水を排出後、第１導入路７を開放し、第１電解室１３のアルカリイオン水を貯水部５０に流通させて、当該イオン水で貯水部５０を濯ぎ洗浄する。
【００７３】
第２洗浄動作の実動作は、原水供給開始直後、制御部２０が第１通水路５１と第２通水路５３と第１導入路７とを開放させて、浄水と貯水部５０の混合水とを電解槽１２に流入する。そして、制御部２０は第１電極板１５ａを陽極、第２電極板１５ｂを陰極となるよう電圧を印加し、電解槽１２で浄水と混合水とを混在させた水を電気分解し、第１電解室１３に酸性水（次亜塩素酸水）を生成し、第２電解室１４にアルカリイオン水を生成する。当該酸性水は電解槽１２から吐水路１７に流通され、当該実動作前の止水中に吐水路１７内で増殖した恐れのある細菌が殺菌され易くなる。
【００７４】
また、当該酸性水の通水時間は止水経過時間Ｔの増加に伴い増加するように（止水経過時間に略比例して）設定されており、当該通水時間は制御部２０に記憶されている。そして、上記通水時間通水後、制御部２０は、第１洗浄動作と略同様に、混合部３２に給水した後、通常動作用の制御を開始し、通常動作を行い、通常動作後、第２洗浄動作の準備動作を行う。なお、第２洗浄動作の準備動作は、第１洗浄動作と略同じとなっているため、説明は省略する。
【００７５】
第３洗浄動作の実動作は、酸性水の通水時間を除き、第２洗浄動作の実動作と略同様に行われており、当該通水時間は、第２洗浄動作における酸性水の通水時間より長く、且つ止水経過時間Ｔによらず略一定となっている。そして、第３洗浄動作の準備動作は、第１洗浄動作と略同じとなっており、説明は省略する。
【００７６】
また、電解水生成装置１は、使用者が制御部２０を介して外部操作する操作部５７と、動作中のモード等を外部に表示する表示部５８とを備える。
【００７７】
操作部５７は、通常動作で吐水路１７から吐出する水（使用者が所望する水質）を選択したり、アルカリイオン水や酸性イオン水のｐＨ値を変更する外部操作を行ったりする。そして、操作部５７は当該外部操作に応じた電気信号を制御部２０に出力しており、制御部２０は当該電気信号（操作内容）に応じた制御を行う。
【００７８】
そのため、使用者が操作部５７を用いて上述の三つの水質（イオン水、浄水）のモードから所望のモードを選択することで、選択されたモードに応じた電気信号が操作部５７から制御部２０に入力される。そして、制御部２０は当該電気信号を受けると、止水経過時間に基づき判断した洗浄動作を行った後、当該電気信号に応じたモードで通常動作を開始し、使用者の所望する水を吐水路１７から吐出する。
【００７９】
表示部５８は制御部２０に制御され、例えば、液晶５９等の文字を表示するものや、発光ダイオード等の発光部６０の点灯や点滅を組み合わせて表示するもの等となっており、操作部５７によって選択されたモードを表示するモード表示を行う。以下、文字を表示するものを文字表示式とし、発光部６０の点灯や点滅を組み合わせて表示するものを、点灯点滅式として記載し、説明する。
【００８０】
表示部５８はモード表示に加えて、止水経過時間を表示して外部報知する報知部としての機能と、次回通水時に酸性水による洗浄動作（第２洗浄動作、第３洗浄動作）の実施が決定した際に予告する予告部としての機能を有する。
【００８１】
報知部は、文字表示式であれば、例えば、図７（ａ）に示すように、文字で止水経過時間を表示する。また、点灯点滅式であれば、例えば、図８（ａ）に示すように、当該止水経過時間に該当する発光部６０を点灯させる或いは当該止水経過時間までに該当する全ての発光部６０を点灯させることで、止水経過時間を表示する。
【００８２】
予告部は、文字表示式であれば、例えば、図７（ｂ）に示すように、文字で次回通水時に酸性水を用いた洗浄動作（図中では殺菌洗浄と記載）を行うことを表示して、使用者に対して洗浄動作の実施を予告する。また、点灯点滅式であれば、例えば、図８（ｂ）に示すように、次回通水時に酸性水を用いた洗浄動作を行うことを示す発光部６０を点灯させて、次回通水時に当該洗浄動作の実施することを表示して、使用者に対して予告する。なお、予告部は、第１洗浄動作を行うことが確定した場合にも予告を行ってもよい。
【００８３】
また、表示部５８は、止水状態に洗浄動作を行うことが確定した際や、洗浄動作中に、取水可能状態（通常動作）に移行するまでの残り時間を表示する残時間表示を更に行ってもよい。このものでは、文字表示式であれば、例えば、図７（ｃ）に示すように、使用可能（取水可能）になるまでの残り時間を文字で表示する。また、点灯点滅式であれば、例えば、図８（ｃ）に示すように、当該残り時間に該当する発光部６０を点灯させる或いは当該残り時間までに該当する全ての発光部６０を点灯させることで、残り時間を表示する。
【００８４】
このように、電解水生成装置１は、電解槽１２内の水量（容量）や電極板１５に印加する電圧等が略同じ条件下において、添加剤を添加しないもの（非添加のもの）に比べて、酸性水中の殺菌成分を増加させることができる。そのため、非添加のものに比べて、電解槽１２内の水を少なくしたり、印加する電圧を小さくしたりして、非添加のものと略同量の殺菌成分を有する酸性水を生成することができる。
【００８５】
すなわち、上述の構成を備えることで、電解槽１２の容積の小さい電解水生成装置１や電極板１５に印加する電圧が小さい電解水生成装置１でも、所定量の殺菌成分を有した（所定の酸性濃度の）酸性水を生成し易くすることができる。そして、制御部２０が吐水比率可変部を用いて吐水比率を変更する比率変更制御を行うことで、吐水比率を下げて、第１電解室１３内のｐＨや殺菌成分生成量を上昇させたり、捨て水として吐出される水の量を抑えたりすることができる。
【００８６】
また、給水路２４において、第１開口端２５を第２開口端２６より上方に設けたことで、ポンプ等の供給水を流動させる動力を追加しなくても、供給水を混合部３２に容易に導入することができ、装置の大型化や高コスト化を抑制し易くなる。そして、第２開口端２６より下方で混合部３２に連通する混合水排水路１８を設けたことで、混合部３２の供給水や混合水が接続口３５より上方に溜まったり流入したりし難くなり、混合部３２の当該水が剤貯留部２８や駆動部３８に浸入し難くすることができる。更に、混合部３２に攪拌部４１を設けたことで、添加剤を供給水に溶解させ易くなり、解け残った添加剤による流路の詰りや切替弁の動作不具合等を発生し難くすることができる。
【００８７】
また、混合部３２の下方に貯水部５０を連通配置したことで、ポンプ等の混合水を流動させる動力を追加しなくても、混合水を貯水部５０に容易に導入することができ、装置の大型化や高コスト化を抑制し易くなる。そして、酸性水を用いた殺菌洗浄後、貯水部５０をアルカリイオン水で濯ぎ洗浄したことで、殺菌洗浄後に貯水部５０に残った酸性水や貯水中に析出した添加剤を排出し易くなる。そのため、貯水部５０に添加剤が残留し難くなり、次回洗浄時等に貯水部５０に残留した添加剤による流路の詰りや切替弁の動作不良等を生じ難くすることができる。
【００８８】
また、表示部５８を予告部として機能させたことで、制御部２０が次回使用時（取水時）に殺菌洗浄を行うと判断した際に、使用者に対して使用前（止水状態時）に次回使用時に殺菌洗浄を行うことを予告することができる。そのため、使用者が殺菌洗浄時の酸性水を誤って取水することを抑制し易くなると共に、使用者が殺菌洗浄による待ち時間を考慮して原水供給を開始することができる。
【００８９】
また、表示部５８を報知部として機能させたことで、次回取水可能となるまでの時間を使用者に報知することができる。そのため、殺菌洗浄時の酸性水の誤った取水を抑制し易くなると共に、取水可能となるまでの待ち時間を考慮して原水供給を開始することができる。
【００９０】
なお、予告部や報知部は、表示部５８を用いた視覚的な予告や報知に限らず、音声等を用いた聴覚的な予告や報知であってもよく、視覚的な予告や報知と聴覚的な予告や報知とを組み合わせて行ってもよい。また、電解水生成装置１は、通常動作の酸性イオン水生成時に、添加剤を添加した混合水で酸性イオン水（酸性水）を生成してもよい。また、切替弁は、制御部２０から給電（通電）されることで流路を開放する電磁弁を用いることで、待機動作時の消費電力を抑えられ好ましい。
【００９１】
また、電解水生成装置１は、図９に示すように、流し台８０に備えることが好ましく、例えば、電解水生成装置１は、流し台８０の上面８０ａに載置される。流し台８０は、原水を吐出するカラン８２と、カラン８２に原水を供給する原水管８１と、電解水生成装置１或いはカラン８２からの水を受けるシンク８３と、シンク８３で受けた水を外部に排出する排出管８４とを備える。排出管８４は一端がシンク８３の底部に接続され、他端が外部に排水管（図示せず）に接続され、管の途中に臭気防止用のトラップ部を備える。
【００９２】
更に、流し台８０は、原水管８１と、水栓８５を介して原水管８１に連通接続された通水管８６とを備える。通水管８６は下流側が、通水管８６の下流に連通し原水をカラン８２に流入させるカラン側流路と、原水を電解水生成装置１に流入させる装置側流路とに分岐し、装置側流路は電解水生成装置１の供給路４に連通接続される。そして、通水管８６は、当該分岐点に、カラン側流路を介したカラン８２への給水と、装置側流路を介した電解水生成装置１への給水とを切り替える流路切替弁８７を有し、流路切替弁８７の開閉は使用者の外部操作によって切り替わる。
【００９３】
このように、流し台８０は、原水管８１が通水管８６のカラン側流路に連通すると、原水がカラン８２に流入し、カラン８２から吐出される。そして、原水管８１が通水管８６の装置側流路に連通すると、原水が電解水生成装置１に流入し、当該電解水生成装置１で浄水やイオン水或いは酸性水となって吐出される。更に、所定量の殺菌成分を有した酸性水を生成し易い第１実施形態の電解水生成装置１を備えたことで、電解槽１２の容積が小さい電解水生成装置１を用いることができ、当該装置による上面８０ａの占有面積を低減し易くなる。また、電解水生成装置１が通常動作時に添加剤を添加して酸性水を生成可能であれば、まな板等の台所用品や流し台８０の殺菌洗浄等に当該酸性水を利用することができる。
【００９４】
なお、流し台８０は原水管２をカラン側流路と装置側流路とに分岐させて、両流路に各々水栓３，８５を設けてもよい。また、電解水生成装置１は流し台８０に備えたものに限らない。
【符号の説明】
【００９５】
１  電解水生成装置
４  供給路
１２  電解槽
１７  吐水路
１８  排水路
２０  制御部
２３  剤添加部
２４  給水路
２５  第１開口端（電解槽側の開口端）
２６  第２開口端（混合部側の開口端）
２８  剤貯留部
３２  混合部
３４  混合水排出路
３５  接続口
３６  混合水導入路
４１  攪拌部
５０  貯水部
５８  表示部
８０  流し台
【図１】
2012223685.tif 000003
【図２】
2012223685.tif 000004
【図３】
2012223685.tif 000005
【図４】
2012223685.tif 000006
【図５】
2012223685.tif 000007
【図６】
2012223685.tif 000008
【図７】
2012223685.tif 000009
【図８】
2012223685.tif 000010
【図９】
2012223685.tif 000011